(57)【要約】【課題】  ラックの柱体への物品落下防止用ベルト取り付けが、容易、かつ、安定して行えるようにする。【解決手段】  物品落下防止用ベルト１０３の連結部９を備える第１部材３と、第１部材３に回動可能に取り付けられる第２部材５と、第１部材３と第２部材５とを弾力的に閉じ状態に付勢するばね部材７を備え、第１部材３と第２部材５との間に物品落下防止用ベルト１０３が取り付けられる柱体１００を弾力的に挟む状態とし、柱体１００に装着使用される物品落下防止用ベルトの取り付け具。【選択図】図１
2019011192.tif 000002
【特許請求の範囲】
【請求項１】
物品落下防止用ベルトの連結部を備える第１部材と、前記第１部材に回動可能に取り付けられる第２部材と、前記第１部材と第２部材とを弾力的に閉じ状態に付勢するばね部材を備え、
前記第１部材と第２部材との間に前記物品落下防止用ベルトが取り付けられる柱体を弾力的に挟む状態とし、前記柱体に装着使用されることを特徴とする物品落下防止用ベルトの取り付け具。
【請求項２】
前記柱体が４角柱体であり、前記第２部材が前記４角柱体の３周面沿う状態とされた状態において、前記第１部材が前記ばね部材により弾力的に閉じて前記４角柱体の残る１周面を押さえる請求項１記載の物品落下防止用ベルトの取り付け具。
【請求項３】
使用に際し、連結される前記物品落下防止用ベルトに収納物品が当たり前記物品落下防止用ベルトから力が及んだ際に、前記柱体に当接することで前記柱体からの離脱を阻止する離脱阻止部を備える請求項１記載の物品落下防止用ベルトの取り付け具。
【請求項３】
前記第１及び／又は第２部材の外面に、前記第１と前記第２部材とを互いに開くための指かけ部が突出形成されてなる請求項１記載の物品落下防止用ベルトの取り付け具。
【発明の詳細な説明】
【技術分野】
【０００１】  この発明は、倉庫のラック等において使用される物品落下防止用ベルトの取り付け具に関する。
【背景技術】
【０００２】  倉庫内等においてはラックが並設され、その棚板上に多くの物品が載置収納されるが、地震発生時等においては棚板上の物品が荷崩れを起こして棚板上から落下する問題がある。したがって、従来においては荷崩れによる物品の落下を防止するように、例えば、ラックの前面の両側の柱体間に物品落下防止用のベルトを架け渡すように取り付けることが行われている（図１０参照）。
【発明の概念】
【発明が解決しようとする課題】
【０００３】  上記物品落下防止用ベルトは、例えば、そのベルト端に取り付けた係止金具をラックの柱体の係止穴に係止するようにして取り付けているが、その取り付けに手間がかかり、かつ、柱体への係止が外れやすく物品の落下を確実に防止することができなかった。
【０００４】  この発明では、ラックの柱体への物品落下防止用ベルト取り付けが、容易、かつ、安定して行える物品落下防止用ベルトの取り付け具を提供することを目的とする。
【課題を解決するための手段】
【０００５】  この発明では、物品落下防止用ベルトの連結部を備える第１部材と、前記第１部材に回動可能に取り付けられる第２部材と、前記第１部材と第２部材とを弾力的に閉じ状態に付勢するばね部材を備え、前記第１部材と第２部材との間に前記物品落下防止用ベルトが取り付けられる柱体を弾力的に挟む状態とし、前記柱体に装着使用されることを特徴とする物品落下防止用ベルトの取り付け具を提供する。
【０００６】  上記構成の取り付け具は、第１部材と第２部材とをばね部材のばね力に抗して開いた状態としてその間に柱体を位置させ開き力を解除すると、第１部材と第２部材との間に柱体を弾力的に挟む状態として装着される。
【０００７】  柱体が４角柱体であり、第２部材が前記４角柱体の３周面沿う状態とされた状態において、第１部材がばね部材により弾力的に閉じて４角柱体の残る１周面を押さえる構成とされることで、取り付け時の位置合わせが容易であるとともに、４角柱体への装着がガタつくことなく安定して強固に行われる。
【０００８】  使用に際し、連結される物品落下防止用ベルトに収納物品が当たり物品落下防止用ベルトから力が及んだ際に、柱体に当接することで柱体からの離脱を阻止する離脱阻止部を備える構成とされることで、使用に際しての柱体からの離脱が回避される。
【０００９】  第１及び／又は第２部材の外面に、第１と第２部材とを互いに開くための指かけ部が突出形成されてなる構成とされることで、第１部材と第２部材との開き動作が容易、かつ、安定して行われる。
【発明の効果】
【００１０】  この発明の物品落下防止用ベルトの取り付け具を使用することで、ラックの柱体への物品落下防止用ベルト取り付けが、容易、かつ、安定して行えるようになり、これにより、ラック上の収納物品の荷崩れや前方への落下が容易に、確実に防止できるようになる。
【図面の簡単な説明】
【００１１】
【図１】  この発明の物品落下防止用ベルトの取り付け具の前面側外観斜視図
【図２】  この発明の物品落下防止用ベルトの取り付け具の後面側外観斜視図
【図３】  この発明の物品落下防止用ベルトの取り付け具の前面図
【図４】  この発明の物品落下防止用ベルトの取り付け具の後面図
【図５】  この発明の物品落下防止用ベルトの取り付け具の平面図
【図６】  この発明の物品落下防止用ベルトの取り付け具の取り付け説明図
【図７】  この発明の物品落下防止用ベルトの取り付け具の取り付け状態図
【図８】  この発明の物品落下防止用ベルトの取り付け具の取り付け状態図
【図９】  この発明の物品落下防止用ベルトの取り付け具の取り付け状態図
【図１０】  この発明の物品落下防止用ベルトの取り付け具の使用説明図
【発明を実施するための形態】
【００１２】  図１は物品落下防止用ベルトの取り付け具の前面側外観斜視図、図２は同後面側外観斜視図、図３は同前面図、図４は同後面図、図５は同平面図である。物品落下防止用ベルトの取り付け具１は、全体が金属製で、第１部材３と第２部材５とばね部材７とから構成される。
【００１３】  第１部材３は方形で、その一方側近傍に２個のベルト係止穴（連結部）９を備えるとともに、他方側の縁部に折れ曲がり状の押さえ部１１を、さらに上下縁のそれぞれに折れ曲がり状の軸支部１２を一体に備えている。第２部材５は第１当接部１５と第２当接部１７と第３当接部１９からなるコ字型の折れ曲がり形状で、第１当接部１５の上下縁のそれぞれに折れ曲がり状に軸支持部２１が一体に設けられ、第２当接部１７面には外方に切り起こされて形成される指かけ部２３が設けられている。
【００１４】  第１部材３と第２部材５とは、それぞれの軸支持部１２、２１が重ね合わされそれらの支持穴に軸支ロッド２５が挿通配置されることで、互いが回動するように一体に取り付けられている。軸支持ロッド２５にはコイルバネよりなるばね部材７が装着され、このばね部材７により第１部材３と第２部材５とは互いが閉じる方向に付勢されて取り付けられている。第１部材３の内面が第２部材５の軸支持部２１の角部２２に当接することで、第１部材３は第２部材５に対して所定の閉じ位置となる。
【００１５】  取り付け具１は、第１部材３の外面と第２部材５の指かけ部２３とに指が掛けられて、図６に示すように、ばね部材７のばね力に抗して第１部材３が第２部材５に対して矢印Ａで示す方向に開かれた状態において、第２部材５が矢印Ｂで示す方向に４角柱体１００に篏合され、第２部材の第１当接部１５と第２当接部１７と第３当接部１９とが４角柱体１００の３面に沿う状態となった状態において、指による開き力が解除されることで第１部材３がばね力により閉じてその押さえ部１１が４角柱体１００の残る１面を押圧する状態となる。これにより、図７から図９に示すように、取り付け具１は第１部材３と第２部材５とで四角柱体１００を弾力的に挟む状態となって装着される。上記の取り付け具１の装着に際し、第２部材５に指かけ部２３が設けられていることで第１部材３と第２部材５との開き動作が容易、かつ、安定して行われる。また、上記のように第２部材５が４角柱体１００に篏合されるようにして取り付けられることで、取り付け時の位置合わせが容易であるとともに、４角柱体１００への装着がガタつくことなく安定して強固に行われる。このようにして取り付けられた取り付け具１のベルト係止穴９に脱落防止用ベルト１０３の端部が挿通係止されて取り付けられる。
【００１６】  図１０はラック１０１における取り付け具１の使用例を示す。ラック１０１は２段の棚１０２を備え、棚１０２上に収納物品１０５のそれぞれが収納載置されている。取り付け具１はラック１０１の前側の２本の四角柱体１００それぞれの上下の相対する位置に２個ずつ装着されており、相対する一対の取り付け具１を用いて脱落防止用ベルト１０３が棚１０２それぞれの前面の開放部に水平に位置するように取り付けられている。このように脱落防止用ベルト１０３が取り付けられることで、振動や衝撃が発生した場合にも収納物品１０５は脱落防止用ベルト１０３に当接して前方への移動が規制され、これにより、収納物品１０５の荷崩れ、さらに、棚１０２上からの前方への落下が防止される。その際、図８に示すように、収納物品１０５は脱落防止用ベルト１０３の後面１０３ａに矢印Ｃの方向において当たり、同方向の力が取り付け具１にも力が及ぶが、四角柱体１００の後面１００ａが取り付け具１の第２当接部（離脱阻止部）１７により受けられていることで取り付け具１が四角柱体１００から外れることが確実に回避される。
【符号の説明】
【００１７】１    物品落下防止用ベルトの取り付け具
３    第１部材
５    第２部材
７    ばね部材
９    ベルト係止穴（連結部）
１００  ４角柱体
１０３  物品落下防止用ベルト
【図１】
2019011192.tif 000003
【図２】
2019011192.tif 000004
【図３】
2019011192.tif 000005
【図４】
2019011192.tif 000006
【図５】
2019011192.tif 000007
【図６】
2019011192.tif 000008
【図７】
2019011192.tif 000009
【図８】
2019011192.tif 000010
【図９】
2019011192.tif 000011
【図１０】
2019011192.tif 000012